(57)【特許請求の範囲】
【請求項１】
予め定められた普通図柄始動領域での遊技球の検出を作動契機として図柄変動を開始し、所定時間経過後に図柄変動を停止して、前記遊技球の検出時に抽選した乱数値に基づいて確定した図柄を表示する普通図柄表示装置と、
遊技球の検出により特別図柄変動の作動契機となる入賞が発生する入賞領域を前記乱数値に基づいて拡大または縮小する変動入賞装置と、
前記入賞領域での遊技球の検出を作動契機として複数の図柄表示領域でそれぞれ図柄変動を開始し所定時間経過後に図柄変動を停止して確定した特別図柄を表示する特別図柄表示装置と、
前記特別図柄表示装置が表示する変動後の前記複数の図柄表示領域の図柄の組み合わせからなる特別図柄が所定態様となったことを契機として遊技条件を遊技者にとって相対的に有利性の低い普通遊技条件から有利性の高い特別遊技条件に変更する遊技条件変更手段を備えたパチンコ機であって、
前記変動入賞装置は、入賞領域として、前記特別図柄表示装置が表示する変動後の前記複数の図柄表示領域の図柄の組み合わせからなる特別図柄が前記所定態様となる確率が、遊技球がいずれの領域で検出されるかによって異なることになる複数の領域を有するとともに、遊技球をそれら複数の領域へ振り分けるよう配置されパチンコ機前面から視認可能とされた振り分け部材を有し、該振り分け部材を前記乱数値に基づいて制御して、遊技球を前記複数の領域のいずれかに振り分けることを特徴とするパチンコ機。
【請求項２】
前記特別遊技条件は、前記特別図柄表示装置が表示する変動後の前記複数の図柄表示領域の図柄の組み合わせからなる特別図柄が所定態様となったことを契機として、前記特別図柄表示装置の変動回数が所定回数に達するまで、または次回の前記特別図柄表示装置の表示態様が前記所定態様となるまで、前記特別図柄表示装置が表示する図柄変動後の前記複数の図柄表示領域の停止図柄の組み合わせが所定態様となる確率を高くするものである請求項１記載のパチンコ機。
【発明の詳細な説明】
【０００１】
【発明の属する技術分野】
この発明は、パチンコ機に関し、特に、特別図柄の作動契機となる入賞領域を普通図柄の態様に応じて拡大あるいは縮小する１種始動口等の変動入賞装置を多様に機能させ、趣向性を高めるようにしたパチンコ機に関する。
【０００２】
【従来の技術】
従来のパチンコ機等の遊技機は、例えば１種パチンコ機の場合、特別図柄に大当たり図柄が得られると、大当たりということで、大入賞口が開放される。そして、大当たり図柄のうち特別な図柄が得られた場合は、特別図柄に大当たり図柄が得られる確率すなわち大当たり確率が、高確率に移行するとともに、普通図柄および特別図柄の変動において時間短縮機能が作動し、また、第１種始動口の開放等の時間が延長される。
【０００３】
つまり、１種として区分されている従来のパチンコ機は、遊技球が大入賞口に入賞すると、入賞球１個につき例えば１５個の遊技球が獲得でき、それ以外の入賞口に入賞した時は例えば５個の遊技球が獲得できるもので、遊技球の左ゲート又は右ゲートへの通過を作動契機として、普通図柄表示装置の普通図柄表示器に表示されている普通図柄が変動を開始し、所定時間経過後に図柄変動が停止して、確定した普通図柄が表示される。そして、確定した普通図柄が特定図柄を表示した時は当たりとなり、当該特定図柄の表示を作動契機として普通電動役物に係る入賞口すなわち第１種始動口が開放等の動作を行う。また、第１種始動口での遊技球の検出（すなわち入賞）を作動契機として、特別図柄表示装置の図柄がともに複数図柄で変動を開始し、所定時間が経過すると図柄変動が停止して、確定した特別図柄が表示される。そして、確定した特別図柄が所定の組み合わせを表示した時は大当たりとなり、当該図柄の組み合わせの表示を作動契機として、大入賞口が所定時間開放される。また、特別図柄が特定図柄で大当たりとなった時は、その大当たりによる条件装置の作動が終了した時点から特定図柄表示装置が所定回作動するまでの期間（この期間は、次回の大当たりによる条件装置の作動により終了する）、大当たりが得られる確率が高確率に移行するとともに、普通図柄、特別図柄の変動において時間短縮機能が作動し、第１種始動口の開放等の時間が延長されるのである。
【０００４】
【発明が解決しようとする課題】
従来の１種パチンコ機は、大当たりによる条件装置の作動終了から次回の大当たりによる条件装置が作動するまでの間は高確率状態で、それ以外は低確率状態というように、大当たりか否かによって、特別図柄に大当たり図柄が得られる確率すなわち大当たり確率が高確率と低確率のいずれかに固定される。そして、大当たり時には大入賞口の開放、図柄変動時間の短縮、第１種始動口の開放等の時間延長など、遊技者に有利な状態になるよう遊技条件が変化する。しかし、確率の変化を含めてそれら遊技条件の変化は全て、第１種始動口への遊技球の入賞を作動契機として一律に行われるため、遊技が単調になるきらいがあり、趣向性が十分でない。
【０００５】
つまり、従来の１種パチンコ機等の遊技機では、特別図柄の図柄合わせと、そのための作動契機としての第１種始動口への入賞が専ら注目される。普通図柄表示装置が表示する普通図柄が特定図柄となることによる当たりは、それを作動契機として普通電動役物に係る入賞口（第１種始動口）が所定時間開放され、また、賞球として遊技球を所定数（例えば５個）獲得できるが、それ以上のものではなく、当たりとなって第１種始動口が開放する時間も、大当たりでない普通遊技時は０.５秒前後と短く、第１種始動口に入賞する確率も低いことから、普通遊技中は、普通図柄表示器が表示する普通図柄が注目されることは殆どない。また、第１種始動口への入賞にしても、遊技球が第１種始動口へ入賞すると普通図柄に関係なく所定数の遊技球が賞球として払い出され、大当たり時と通常時とでそれぞれ一定の確率で特別図柄が大当たり図柄となる図柄変動が開始されるだけで、普通図柄が特定図柄となった時に電動役物が作動して所定時間開放される等以外は単調であるため、遊技中に注目されることは殆どない。
【０００６】
この発明は、上記問題点に鑑みてなされたもので、図柄表示装置が表示する図柄の態様に応じて入賞領域を拡大あるいは縮小する変動入賞装置の機能を多様化させ、遊技の単調さを解消することを目的としている。
【０００７】
【課題を解決するための手段】
この発明は、パチンコ機において、変動入賞装置に入賞領域として複数の領域を設け、図柄表示装置が表示する図柄の態様に応じてそれら複数の領域へ遊技媒体を振り分けることにより、変化に富んだ趣向性の高い遊技が可能となるようにしたものである。
【０００８】
すなわち、請求項１に係る発明は、予め定められた普通図柄始動領域での遊技球の検出を作動契機として図柄変動を開始し、所定時間経過後に図柄変動を停止して、前記遊技球の検出時に抽選した乱数値に基づいて確定した図柄を表示する普通図柄表示装置と、遊技球の検出により特別図柄変動の作動契機となる入賞が発生する入賞領域を前記乱数値に基づいて拡大または縮小する変動入賞装置と、前記入賞領域での遊技球の検出を作動契機として複数の図柄表示領域でそれぞれ図柄変動を開始し所定時間経過後に図柄変動を停止して確定した特別図柄を表示する特別図柄表示装置と、前記特別図柄表示装置が表示する変動後の前記複数の図柄表示領域の図柄の組み合わせからなる特別図柄が所定態様となったことを契機として遊技条件を遊技者にとって相対的に有利性の低い普通遊技条件から有利性の高い特別遊技条件に変更する遊技条件変更手段を備えたパチンコ機であって、前記変動入賞装置は、入賞領域として、前記特別図柄表示装置が表示する変動後の前記複数の図柄表示領域の図柄の組み合わせからなる特別図柄が前記所定態様となる確率が、遊技球がいずれの領域で検出されるかによって異なることになる複数の領域を有するとともに、遊技球をそれら複数の領域へ振り分けるよう配置されパチンコ機前面から視認可能とされた振り分け部材を有し、該振り分け部材を前記乱数値に基づいて制御して、遊技球を前記複数の領域のいずれかに振り分けることを特徴とする。
【０００９】
この場合、普通図柄始動領域での遊技球の検出を作動契機として普通図柄表示装置が図柄変動を開始し、所定時間経過後に図柄変動を停止して確定した普通図柄を表示し、遊技球の検出時に抽選した乱数値に基づいて変動入賞装置が拡大または縮小し、当たり図柄の場合は特別図柄始動領域が拡大する。そして、特別図柄始動領域での検出を作動契機として特別図柄表示装置が図柄変動を開始して、所定時間経過後に図柄変動を停止して確定した特別図柄を表示し、その停止図柄が所定態様となった時は、大当たりとして、遊技条件が遊技者にとって相対的に有利性の低い普通遊技条件から有利性の高い特別遊技条件に変更される。また、遊技球の検出時に抽選した乱数値に基づいて変動入賞装置の複数の領域のいずれかを選択的に開くよう振り分け部材が制御され、変動入賞装置に流入する遊技球がそれら複数の領域のいずれかの開いた領域に振り分けられて、それら領域毎に遊技者にとっての有利性が異なる遊技内容となる（特別図柄が所定態様となる確率が領域毎に変わり、遊技者にとっての有利性が異なることになる）ことで、変化に富んだ趣向性の高い遊技となり、趣向性が向上する。
【００１０】
請求項２に係る発明のパチンコ機は、請求項１に係る発明のパチンコ機において、前記特別遊技条件として、前記特別図柄表示装置が表示する変動後の前記複数の図柄表示領域の図柄の組み合わせからなる特別図柄が所定態様となったことを契機として、前記特別図柄表示装置の変動回数が所定回数に達するまで、または次回の前記特別図柄表示装置の表示態様が前記所定態様となるまで、前記特別図柄表示装置が表示する図柄変動後の前記複数の図柄表示領域の停止図柄の組み合わせが所定態様となる確率を高くするものである。この場合、特別図柄が所定態様で大当たりとなった時は、特別図柄表示装置の変動回数が所定回数に達するまで、または次回の特別図柄表示装置の表示態様が所定態様となるまで、大当たり確率が高くなり、遊技者にとって有利性の高い状態となる。
【００１１】
【発明の実施の形態】
以下、本件発明の実施の形態を図面に基づいて説明する。
【００１２】
図１は、実施の形態の一例を示すパチンコ機の盤面図である。図１において、１は遊技盤であり、その盤面にはレール２によって遊技領域３が画定されている。そして、遊技領域３の略中央に特別図柄表示装置４が配置され、特別図柄表示装置４の上部中央に隣接して普通図柄表示装置５が配置され、その更に上方に隣接して天入賞口６が配置され、特別図柄表示装置４の下方には普通電動役物に係る入賞口である第１種始動口７（請求項１の変動入賞装置に相当する）を備えた普通電動役物８が配置され、その直ぐ下には大入賞口９を備えた特別電動役物10が配置されている。そして、特別図柄表示装置４の左右側方に、普通図柄作動左ゲート11および普通図柄作動右ゲート12（請求項１の普通図柄始動領域に相当する）が配置され、入賞領域としての第１種始動口７を備えた普通電動役物８の左右側方に左袖入賞口13および右袖入賞口14が配置され、大入賞口９を備えた特別電動役物10の左右側方に左下入賞口15および右下入賞口16が配置されている。また、普通図柄表示装置５の下部には普通図柄記憶表示ランプ17が配置され、特別図柄表示装置４の下部には、特別図柄記憶表示ランプ18が配置されている。
【００１３】
普通電動役物８は、図２に示すように、第１種始動口７の開口位置に、図示しない駆動部(例えばソレノイド)によって駆動されて第１種始動口７を拡開状態と非拡開状態とに切り換えるよう左右に開閉する左羽根19および右羽根20を備えている。また、普通電動役物８は、入賞領域である第１種始動口７が、内部で左領域21と右領域22の二つの領域に別れ、その前段部分には、図示しない駆動部(例えばソレノイド)により駆動されて左右に回動することにより遊技球を左領域21と右領域22に振り分ける振り分け部材23が配置されている。そして、普通電動役物８は、振り分け部材23が配置された部分の前面が、遊技中に振り分け部材23の動作を視認可能なように透明とされている。また、左領域21と右領域22が位置する部分の前面に、領域表示左ＬＥＤランプ24および領域表示右ＬＥＤランプ25がそれぞれ配設されている。
【００１４】
普通図柄表示装置５は、７セグメントの表示器を備え、普通図柄乱数から抽選した乱数値に応じた普通図柄を０から９までの数字で表現する。また、特別図柄表示装置４は、右図柄表示領域、左図柄表示領域、中図柄表示領域の三つの領域からなる表示器を備え、特別図柄乱数から抽選した乱数値に応じて特別図柄を、三つの表示領域に各々表示する０から９までの数字の組み合わせで表現する。
【００１５】
この遊技機は、遊技領域に打ち込まれた遊技球が大入賞口９へ入賞が検出された時は、入賞球１個につき例えば１５個の遊技球が獲得でき、その以外の入賞口（第１種始動口７を含む）に入賞した時は、例えば５個の遊技球が獲得できる。
【００１６】
また、遊技球が普通図柄作動左ゲート11または普通図柄作動右ゲート12を通過したことが検出スイッチ（図示せず）により検出されると、図示しない制御装置が普通図柄乱数（例えば０〜９）から乱数値を抽選して、その値を記憶するとともに、普通図柄表示装置５の図柄変動表示を開始させる。そして、所定時間（例えば３０秒）が経過した時に図柄変動を停止させ、抽選した乱数値に相当する普通図柄を確定した図柄として表示させ、その抽選した乱数値に基づいて（すなわち、確定した普通図柄に応じて）第１種始動口７の開閉制御を行うとともに、振り分け部材23の振り分け動作を制御し、第１種始動口７内部の左領域21と右領域22のいずれに振り分けたかによって、領域表示左ＬＥＤランプ24および領域表示右ＬＥＤランプ25のいずれかを点灯表示させる。また、普通図柄表示装置５が表示する図柄の変動中に新たに遊技球が普通図柄作動左ゲート11または普通図柄作動右ゲート12を通過すると、普通図柄乱数（例えば０〜９）から乱数値を抽選してその値を記憶するとともに、その都度、例えば最大４個の遊技球について、保留球として記憶していることを表示するよう、普通図柄記憶表示ランプ17を新たに１個点灯表示させる。
【００１７】
第１種始動口７の左領域21および右領域22は、例えば左領域21が大当たり確率「１／２００」の特別図柄乱数に対応し、右領域22が大当たり確率「１／１００」の特別図柄乱数に対応するもので、左領域21または右領域22への遊技球の入賞が検出スイッチ（図示せず）より検出されると、制御装置は、遊技球が左領域21と右領域22のいずれに入ったかによって、いずれかの特別図柄乱数を使用して乱数値を抽選し、その乱数値を記憶するとともに、特別図柄表示装置４の図柄変動表示を開始させる。そして、特別図柄表示装置４の特別図柄（左特別図柄、中特別図柄、右特別図柄）がともに１０図柄で変動を開始し、それら特別図柄が変動を開始してから、所定の停止時間が経過すると、図柄変動を停止し、抽選した特別図柄乱数値に応じた図柄の組み合わせを確定した特別図柄として表示させる。そして、その確定した特別図柄が所定の組み合わせを表示した時は大当たりとなって、大入賞口９が所定時間開放される。また、特別図柄が特定図柄で大当たりとなった時は、その大当たりによる条件装置の作動が終了した時点から特定図柄表示装置が例えば１００００回作動するまでの期間（この期間は、次回の大当たりによる条件装置の作動により終了する）、普通図柄、特別図柄の変動において時間短縮機能が作動する。また、特別図柄表示装置４が表示する図柄の変動中に新たに遊技球が第１種始動口７に流入すると、例えば前記２種類の特別図柄乱数のいずれかを使用して乱数値を抽選し、その乱数値を記憶するとともに、その都度、例えば最大４個の遊技球について、保留球として記憶していることを表示するよう、特別図柄記憶表示ランプ18を新たに１個、遊技球が左領域21と右領域22のいずれに入ったかで態様が異なるように点灯表示させる。この特別図柄記憶表示ランプ18の点灯表示は、通過した領域に応じて点滅パターンや点滅速度を変えることで、点灯表示の態様をそれぞれ異ならせる。例えば左領域21を通過した場合には、ＬＥＤを常時点灯させ、右領域23を通過した場合にはＬＥＤを所定時間間隔で点滅させる。また、この特別図柄記憶表示ランプ18は、１個毎にそれぞれ例えば赤色ＬＥＤと緑色ＬＥＤとで構成し、左領域21を通過した場合は緑色ＬＥＤのみを点灯させ、右領域22を通過した場合は赤色ＬＥＤのみを点灯させるなど、通過した領域によって、点灯するＬＥＤの組合せを変えて表示するようにしてもよい。
【００１８】
普通図柄表示装置５および普通電動役物８の具体的な制御例を以下に説明する。
【００１９】
普通電動役物８の開閉動作および振り分け動作は、その組み合わせにより図３の（Ａ）〜（Ｄ）に示す４態様となる。図３の（Ａ）は、羽根開閉用の駆動部が非作動で、左羽根19および右羽根20が閉じ（第１種始動口７は非拡開状態）、振り分け用の駆動部が非作動で、振り分け部材23が左領域21への振り分け位置に保持された状態（初期状態）である。
【００２０】
また、（Ｂ）は、（Ａ）の初期状態から、羽根開閉用の駆動部が作動して、左羽根19および右羽根20が開放され（第１種始動口７は拡開状態）、振り分け用の駆動部は非作動のままで、振り分け部材23が左領域21への振り分け位置に保持された状態である。
【００２１】
また、（Ｃ）は、（Ａ）の初期状態から、羽根開閉用の駆動部はそのまま非作動で、左羽根19および右羽根20は閉じ（第１種始動口７は非拡開状態）、振り分け用の駆動部が作動して、振り分け部材23が右領域22への振り分け位置に移動した状態である。
【００２２】
そして、（Ｄ）は、（Ａ）の初期状態から、羽根開閉用の駆動部が作動して、左羽根19および右羽根20が開放され（第１種始動口７は拡開状態）、振り分け用の駆動部が作動して、振り分け部材23が右領域22への振り分け位置に移動した状態である。
【００２３】
遊技領域に打ち込まれた遊技球が普通図柄作動左ゲート11または普通図柄作動右ゲート12を通過すると、普通図柄乱数（例えば０〜９）から乱数値を抽選し、その値を記憶して、普通図柄表示装置５による変動表示を開始し、所定時間（例えば３０秒）経過後、抽選した乱数値に相当する図柄を停止表示する。そして、抽選した乱数値に基づいて、図４に示すように普通電動役物８の開閉動作および振り分け動作を制御する。
【００２４】
例えば、抽選した乱数値が「５」の場合は（抽選した乱数値が「６」の場合も同様）、図４に示すように大当たり確率「１／２００」、普通電動役物「開」に相当し、この場合は、７セグメントで構成した普通図柄表示装置５に変動停止後「３」を点灯表示させるとともに、普通電動役物８を図３の（Ａ）の初期状態から（Ｂ）の状態へ所定時間変動させ、羽根開閉用の駆動部を作動させて、遊技球が入賞し易いように左羽根19および右羽根20を開放させ（第１種始動口７は拡開状態）、振り分け用の駆動部は作動させず、振り分け部材23を左領域21への振り分け位置に保持する。そして、領域表示左ＬＥＤランプ24を点灯させる。この状態で入賞した遊技球ｐは、大当たり確率「１／２００」の特別図柄乱数を選択する左領域21に導かれる。また、普通図柄変動中に新たに遊技球が普通図柄作動左ゲート11または普通図柄作動右ゲート12を通過すると、例えば最大４個まではその都度乱数値を抽選し、保留球として乱数値を記憶するとともに、普通図柄記憶表示ランプ17を新たに１個を点灯表示させる。そして、左領域21を通過した遊技球ｐを検出スイッチが検出すると、大当たり確率「１／２００」の特別図柄乱数（例えば０〜１９９）から乱数値を抽選しその値を記憶するとともに、特別図柄表示装置４の図柄変動表示を開始させる。
【００２５】
また、抽選した乱数値が「７」の場合は（抽選した乱数値が「８」の場合も同様）、図４に示すように大当たり確率「１／１００」、普通電動役物「閉」に相当し、この場合は、７セグメントで構成した普通図柄表示装置５に変動停止後「５」を点灯表示させるとともに、普通電動役物８を図３の（Ａ）の初期状態から（Ｃ）の状態へ所定時間変動させ、羽根開閉用の駆動部は非作動のままで、左羽根19および右羽根20を閉じさせ（第１種始動口７は非拡開状態）、振り分け用の駆動部を作動させて、振り分け部材23を右領域22への振り分け位置に移動させる。そして、領域表示右ＬＥＤランプ25を点灯させる。この状態で入賞した遊技球ｐは、大当たり確率「１／１００」の特別図柄乱数を選択する右領域22に導かれる。また、この場合も、普通図柄変動中に新たに遊技球が普通図柄作動左ゲート11または普通図柄作動右ゲート12を通過すると、例えば最大４個まではその都度乱数値を抽選し、保留球として乱数値を記憶するとともに、普通図柄記憶表示ランプ17を新たに１個を点灯表示させる。そして、右領域22を通過した遊技球ｐを検出スイッチが検出すると、大当たり確率「１／１００」の特別図柄乱数（例えば０〜９９）から乱数値を抽選しその値を記憶するとともに、特別図柄表示装置４の図柄変動表示を開始させる。
【００２６】
また、抽選した乱数値が「９」の場合は、図４に示すように大当たり確率「１／１００」、普通電動役物「開」に相当し、この場合は、７セグメントで構成した普通図柄表示装置５に変動停止後「７」を点灯表示させるとともに、普通電動役物８を図３の（Ａ）の初期状態から（Ｄ）の状態へ所定時間変動させ、羽根開閉用の駆動部を作動させて、遊技球が入賞し易いように左羽根19および右羽根20を開放させ（第１種始動口７は拡開状態）、振り分け用の駆動部を作動させて、振り分け部材23を右領域22への振り分け位置に移動させる。そして、領域表示右ＬＥＤランプ25を点灯させる。この状態で入賞した遊技球ｐは、大当たり確率「１／１００」の特別図柄乱数を選択する右領域22に導かれる。また、普通図柄変動中に新たに遊技球が普通図柄作動左ゲート11または普通図柄作動右ゲート12を通過すると、やはり例えば最大４個まではその都度乱数値を抽選し、保留球として乱数値を記憶するとともに、普通図柄記憶表示ランプ17を新たに１個を点灯表示させる。そして、右領域2２を通過した遊技球ｐを検出スイッチが検出すると、大当たり確率「１／1００」の特別図柄乱数（例えば０〜９９）から乱数値を抽選しその値を記憶するとともに、特別図柄表示装置４の図柄変動表示を開始させる。
【００２７】
また、抽選した乱数値が「0」の場合は（抽選した乱数値が「１」〜「４」の場合も同様）、図４に示すように大当たり確率「１／２００」、普通電動役物「閉」に相当し、この場合は、７セグメントで構成した普通図柄表示装置５に変動停止後「０」、「１」、「２」、「４」、「６」、「８」、「９」の何れかを点灯表示させるとともに、普通電動役物８を図３の（Ａ）の初期状態のままとし、羽根開閉用の駆動部は非作動で、左羽根19および右羽根20を閉じさせ（第１種始動口７は非拡開状態）、振り分け用の駆動部も作動させず、振り分け部材23を左領域21への振り分け位置に保持する。そして、領域表示左ＬＥＤランプ24を点灯させる。この状態で入賞した遊技球ｐは、大当たり確率「１／２００」の特別図柄乱数を選択する左領域21に導かれる。また、この場合も、普通図柄変動中に新たに遊技球が普通図柄作動左ゲート11または普通図柄作動右ゲート12を通過すると、例えば最大４個まではその都度乱数値を抽選し、保留球として乱数値を記憶するとともに、普通図柄記憶表示ランプ17を新たに１個を点灯表示させる。そして、左領域2１を通過した遊技球ｐを検出スイッチが検出すると、大当たり確率「１／2００」の特別図柄乱数（例えば０〜１９９）から乱数値を抽選しその値を記憶するとともに、特別図柄表示装置４の図柄変動表示を開始させる。
【００２８】
以上、実施の形態の一例を説明したが、これに限定されるものではなく、発明の技術思想の範囲で適宜態様を変更して実施することができる。
【００２９】
上記実施の形態で説明した例は、変動入賞装置に二つの領域を設けたものであるが、三つ以上の領域を設けて振り分けるようにすることも可能である。
【００３０】
【発明の効果】
以上の説明から明らかなように、この発明によれば、振り分け部材の動作を制御し、入賞領域を通過する遊技球を遊技内容の異なる複数の領域へ振り分けることにより、遊技の単調さを解消することができる。
【００３１】
また、振り分け部材の動作を前面から視認可能として、どの領域に振り分けられるかを遊技者に判るようにすることにより、遊技者の興味が増すようにできる。
【００３２】
そして、振り分ける複数の領域は遊技者にとって利益差があるようにすることにより、遊技の趣向を高めることができる。
【００３３】
また、振り分ける領域を報知する手段を設けることにより、どの領域に振り分けられるかを判りやすく遊技者に知らせることができ、遊技の趣向を高めることができる。
【図面の簡単な説明】
【図１】  実施の形態の一例を示すパチンコ機の盤面図、
【図２】  実施の形態の一例のパチンコ機において第１種始動口を構成する普通電動役物の斜視図、
【図３】  実施の形態の一例のパチンコ機において第１種始動口を構成する普通電動役物の動作説明図（Ａ）、（Ｂ）、（Ｃ）、（Ｄ）、
【図４】  実施の形態の一例のパチンコ機における普通図柄の表示態様および遊技制御のテーブルである。
【符号の説明】
１  遊技盤
３  遊技領域
４  特別図柄表示装置
５  普通図柄表示装置
７  第１種始動口
８  普通電動役物
９  大入賞口
10  特別電動役物
11  普通図柄作動左ゲート
12  普通図柄作動右ゲート
17  普通図柄記憶表示ランプ
18  特別図柄記憶表示ランプ
19  左羽根
20  右羽根
21  左領域
22  右領域
23  振り分け部材
24  領域表示左ＬＥＤランプ
25  領域表示右ＬＥＤランプ
【図１】
0003707998.tif 000002
【図２】
0003707998.tif 000003
【図３】
0003707998.tif 000004
【図４】
0003707998.tif 000005